(57)【要約】      （修正有）【課題】部屋のコーナー部分を利用して衣類を吊り下げて保管することができるようにすると共に、ハンガー掛けも、衣類を吊るすハンガーを楽に手早く掛け外し易くする。【解決手段】底辺２ａ側を前部、頂点２ｂ側を後部として部屋の鴨居、長押等に固定する三角形の棚板２の下面に、その底辺２ａに沿ってハンガー掛け６を固着する。ハンガー掛け６は、カーテンレールと同様に、下面側中央部に長さ方向に沿って軌条３ａを形成したレール本体３と、該レール本体３の軌条３ａに沿って走行移動するよう取り付けた複数のランナ４、４、４・・・とをもって構成する。そして該ランナ４、４、４・・・の夫々に環状又はＳ字状の吊掛け金具５を連結する。また、三角形の棚板２における底辺２ａ側の前部に、カーテンレール８を取着する。そして更に、三角形の棚板２における底辺２ａ側の前部の前端面に、カーテンレール８を外部から見えなくするための覆い板９を取着する。【選択図】図２
0003142347.tif 000002
【実用新案登録請求の範囲】
【請求項１】
底辺側を前部、頂点側を後部として部屋の鴨居、長押等に固定する三角形の棚板の下面に、その底辺に沿って、カーテンレールと同様に、下面側中央部に長さ方向に沿って軌条を形成したレール本体と、該レール本体の軌条に沿って走行移動するよう取り付けた複数のランナとをもって構成すると共に、該ランナの夫々に環状又はＳ字状の吊掛け金具を連結してなるハンガー掛けを、所要数固着してなる部屋のコーナー利用衣類吊下げ装置。
【請求項２】
三角形の棚板における底辺側の前部に、カーテンレールを取着してなる請求項１記載の部屋のコーナー利用衣類吊下げ装置。
【請求項３】
三角形の棚板における底辺側の前部の前端面に、カーテンレールを外部から見えなくするための覆い板を取着してなる請求項２記載の部屋のコーナー利用衣類吊下げ装置。
【考案の詳細な説明】
【技術分野】
【０００１】  本考案は部屋のコーナー利用衣類吊下げ装置に関するものである。
【背景技術】
【０００２】  衣類が多過ぎて箪笥等に仕舞いきれない場合においては、部屋にハンガー掛けをセットし、これに衣類をハンガーで吊り下げるようにすることも行われる。【０００３】  斯かる従来用いられているハンガー掛けは、対立設する支柱に複数の棒を平行して架け渡してなるものである。そして、これは部屋の床面上にセットされることから、部屋の利用面積をその分狭めることになる。また、ハンガーを吊るすには、その頂部のフック部分をハンガー掛けの水平に架け渡した棒に引っ掛けることによって行うが、棒は固定されていて向きが一定である上に、太いことから、ハンガーのフック部分を引っ掛けにくく、また外すときにも外しにくい。また、ハンガーのフック部分を引っ掛けた状態において棒の長さ方向にずらすときにも、これをスムーズに行うことができないし、また、ハンガーを自由に横に回すこともできない。これらのことから、着用する衣類を選択しようとするときにおいて、衣類間の間隔をあけたり、或いは衣類を横に回してその色や柄をチェックしようとしてもこれを簡単に行うことができない。【０００４】  ところで、部屋のコーナ部分、特にその上部空間は一般的に利用されていない。そこで、この一般的に利用されていない部屋のコーナー部分における上部空間を有効活用し、この部分に衣類を吊り下げて保管するようにすれば、従来のハンガー掛けの如く部屋の利用面積を狭めることなく、下部空間は自由に利用することができる。また、ハンガーも掛け外しが楽に行え且つずらし易く、更に自由に横に回るようにすれば、上記の問題点を解消することもできる。然るに従来この点について考慮された例はなく、且つまた特許文献にも見当たらない。
【考案の開示】
【考案が解決しようとする課題】
【０００５】  本考案は上記の点に鑑みなされたものであって、部屋のコーナー部分における上部空間を利用して、この部分に衣類を吊り下げて保管することができるようになすと共に、用いるハンガー掛けも、衣類を吊るすハンガーを楽に手早く掛け外し易く、且つまた左右方向にずらし易く、更に自由に横に回すことができるようになし、もって上記問題点を悉く解消することができるようになした部屋のコーナー利用衣類吊下げ装置を提供しようとするものである。
【課題を解決するための手段】
【０００６】  而して、本考案の要旨とするところは、底辺側を前部、頂点側を後部として部屋の鴨居、長押等に固定する三角形の棚板の下面に、その底辺に沿って、カーテンレールと同様に、下面側中央部に長さ方向に沿って軌条を形成したレール本体と、該レール本体の軌条に沿って走行移動するよう取り付けた複数のランナとをもって構成すると共に、該ランナの夫々に環状又はＳ字状の吊掛け金具を連結してなるハンガー掛けを、所要数固着してなる部屋のコーナー利用衣類吊下げ装置にある。【０００７】  また、上記構成において、三角形の棚板における底辺側の前部に、カーテンレールを取着するようになしてもよい。このようになした場合には、前面をカーテンで覆うことができるから、衣類への埃の付着を防止することができると共に、吊り下げられた衣類を隠して部屋の整頓状態の印象の悪化を防ぐことができるものである。【０００８】  また、上記カーテンレールを取着するようになした場合において、三角形の棚板における底辺側の前部の前端面に、カーテンレールを外部から見えなくするための覆い板を取着するようになしてもよい。このようになした場合には、カーテンレールが外部から見えないことから、これが見えることによる外観の低下を避けることができる。また、逆に、該覆い板の形状や色、模様等を工夫することにより、アクセサリー的な効用も有するようになり、用いるカーテンとの取り合わせにより部屋の雰囲気の向上に役立たせることもできるものである。
【考案の効果】
【０００９】  本考案は上記の如き構成であるから、部屋のコーナー部分における上部空間を利用して、この部分に衣類を吊り下げて保管することができるものである。したがって、従来のハンガー掛けの如く部屋の利用面積を狭めることがなく、下部空間を自由に利用することができるものである。加えて棚として上部に物を載せることもできるものである。【００１０】  また、用いるハンガー掛けも、衣類を吊るすハンガーを楽に手早く掛け外し易く、且つまた左右方向にずらし易く、更に自由に横に回すことができるものである。そしてまた、これにより、着用する衣類を選択するときにおいて、ハンガーをずらして衣類間の間隔をあけたり、或いは衣類の色や柄をチェックするためにハンガーを横に回し、衣類を正面や背面から見ることも可能となるものである。【００１１】  また、三角形の棚板における底辺側の前部に、カーテンレールを取着するようになした場合には、前面をカーテンで覆うことができるから、衣類への埃の付着を防止することができると共に、吊り下げられた衣類を隠して部屋の整頓状態の印象の悪化を防ぐことができるものである。【００１２】  また、カーテンレールを取着するようになした場合において、三角形の棚板における底辺側の前部の前端面に、カーテンレールを外部から見えなくするための覆い板を取着するようになした場合には、カーテンレールが外部から見えないことから、これが見えることによる外観の低下を避けることができる。また、逆に、該覆い板の形状や色、模様等を工夫することにより、アクセサリー的な効用も有するようになり、用いるカーテンとの取り合わせにより部屋の雰囲気の向上に役立たせることもできるものである。
【考案を実施するための最良の形態】
【００１３】  以下、本考案に係る部屋のコーナー利用衣類吊下げ装置を実施するための最良の形態について、図面を参照して説明する。【００１４】  図１は本考案に係る部屋のコーナー利用衣類吊下げ装置の上方側から看た斜視図、図２は同下方側から看た斜視図、図３は同設置した状態の部分拡大斜視図、図４は同設置してカーテンをした状態の斜視図である。【００１５】  図中、１は部屋のコーナ利用衣類吊下げ装置である。また、該部屋のコーナ利用衣類吊下げ装置１は、底辺２ａ側を前部、頂点２ｂ側を後部として部屋の鴨居、長押等に固定する三角形の棚板２の下面に、その底辺２ａに沿って、カーテンレールと同様に、下面側中央部に長さ方向に沿って軌条３ａを形成したレール本体３と、該レール本体３の軌条３ａに沿って走行移動するよう取り付けた複数のランナ４、４、４・・・とをもって構成すると共に、該ランナ４、４、４・・・の夫々に環状又はＳ字状の吊掛け金具５を連結してなるハンガー掛け６を、所要数固着してなるものである。【００１６】  また、前記三角形の棚板２は、部屋の鴨居、長押等の上部に載せ、図示しないネジを用いて固定するものである。また、前記吊掛け金具５は、図示した実施形態においては環状のものを用いているが、図示はしないがＳ字状のものでもよい。また、前記ハンガー掛け６は、図示した実施形態においては２個とし、これらを平行に固着しているが、その個数は任意に選択すればよい。また、前記ハンガー掛け６は、図示した実施形態においては台木７を介して前記三角形の棚板２に固着しているが、必ずしもこのようにする必要はなく、直接ネジを用いて三角形の棚板に固着するようにしてもよい。更にまた、前記ハンガー掛け６は、吊り下げの負荷に対応することができるカーテンレールを代用するようにしてもよい。【００１７】  また、図示した実施形態においては、三角形の棚板２における底辺２ａ側の前部に、カーテンレール８を取着し、そして更に、三角形の棚板２における底辺２ａ側の前部の前端面に、カーテンレール８を外部から見えなくするための覆い板９を取着している。また、その他図中１０はカーテン、１１はハンガー、１２は部屋のコーナー部分を示す。【００１８】  而して、本考案は部屋のコーナー部分における上部空間に設置するものであり、前記の通り三角形の棚板２を部屋の鴨居、長押等にネジを用いて固定することによって行う。そして、衣類を吊り下げて保管するときには、ハンガー１１のフック部分１１ａをハンガー掛け６における吊掛け金具５に掛けて行うが、このとき該吊掛け金具５は図示した如く環状又はＳ字状であってハンガー１１のフック部分１１ａの先端が楽に通り抜け、且つまた吊掛け金具５は水平方向に回ったり、自由に動くから、ハンガー１１を楽に手早く掛け外すことができるものである。そしてまた、ハンガー掛け６におけるランナ４は軌条３ａに沿って移動自在であるから、これに連結された吊掛け金具５も移動自在であり、もってハンガー１１を左右方向にスムーズにずらすことができるものである。また、ハンガー掛け６におけるランナ４は水平方向の回転も自在であるから、これに連結された吊掛け金具５も回転自在であり、もってハンガー１１を水平方向に回転させることができるものである。【００１９】  また、三角形の棚板２における底辺２ａ側の前部に、カーテンレール８を取着しているから、前面をカーテン１０で覆うことができ、もって衣類への埃の付着を防止することができると共に、吊り下げられた衣類を隠して部屋の整頓状態の印象の悪化を防ぐことができるものである。【００２０】  また、三角形の棚板２における底辺２ａ側の前部の前端面に、カーテンレール８を外部から見えなくするための覆い板９を取着しているから、カーテンレール８が外部から見えず、これが見えることによる外観の低下を避けることができる。また、逆に、該覆い板９の形状や色、模様等を工夫することにより、アクセサリー的な効用も有するようになり、用いるカーテン１０との取り合わせにより部屋の雰囲気の向上に役立たせることもできるものである。
【図面の簡単な説明】
【００２１】
【図１】本考案に係る部屋のコーナー利用衣類吊下げ装置の上方側から看た斜視図である。
【図２】同下方側から看た斜視図である。
【図３】同設置した状態の部分拡大斜視図である。
【図４】同設置してカーテンをした状態の斜視図である。
【符号の説明】
【００２２】１  部屋のコーナー利用衣類吊下げ装置
２  三角形の棚板
３  レール本体
３ａ  軌条
４、４、４  ランナ
５  吊掛け金具
６  ハンガー掛け
８  カーテンレール
９  覆い板
１０  カーテン
【図１】
0003142347.tif 000003
【図２】
0003142347.tif 000004
【図３】
0003142347.tif 000005
【図４】
0003142347.tif 000006